(57)【要約】      （修正有）【課題】外観ばかりでなく実質的にも木製の木札に酷似させることができるとともに、強度を高めて潰れや折れをなくして水引の取付けなどの加工をしやすくする御神札、御祈祷札などとして用いられるような木札を提供する。【解決手段】板状の基材１２の少なくとも表面に表示を有する木札１１において、基材１２を、木材パルプを圧縮して板状に形成した芯材２１と、芯材２１の表裏両面に形成された塗工層２２で構成し、塗工層２２の上に、表示と共に木目模様を有する印刷層１４を形成する。芯材２１は、機械パルプ層２１ａと、機械パルプ層２１ａの表裏両面の化学パルプ層２１ｂで構成して強度を高める。また塗工層は、２層からなる顔料塗工で構成し、表面を白色にして美麗な印刷ができるようにする。【選択図】図３
2020005962.tif 000002
【特許請求の範囲】
【請求項１】
板状の基材の少なくとも表面に表示がなされる木札であって、
前記基材が、木材パルプを圧縮して板状に形成した芯材と、前記芯材の少なくとも表面に形成された塗工層を有し、
前記塗工層の上に、前記表示がなされる木目模様の印刷層が形成された
木札。
【請求項２】
板状の基材の少なくとも表面に表示を有する木札であって、
前記基材が、木材パルプを圧縮して板状に形成した芯材と、前記芯材の少なくとも表面に形成された塗工層を有し、
前記塗工層の上に、前記表示と共に木目模様を有する印刷層が形成された
木札。
【請求項３】
前記芯材が、機械パルプ層と、前記機械パルプ層の表裏両面の化学パルプ層で構成された
請求項１または請求項２に記載の木札。
【請求項４】
前記塗工層が、顔料塗工からなるものであり、
前記塗工層が２層からなり、表面が白色である
請求項１から請求項３のうちいずれか一項に記載の木札。
【請求項５】
前記印刷層の木目模様の木目方向が、前記基材の前記木材パルプの流れ方向と同じである
請求項１から請求項４のうちいずれか一項に記載の木札。
【請求項６】
木材パルプを圧縮して板状に形成した芯材と、前記芯材の少なくとも表面に形成された塗工層を有する板状の基材を用意して、
前記塗工層の上に木目模様の印刷層を形成する印刷工程と、
前記印刷層を有する部分を木札の形に切り取る切断工程を順に行う
木札製造方法。
【請求項７】
前記印刷工程で、複数枚の前記木札の印刷を行う
請求項６に記載の木札製造方法。
【請求項８】
前記印刷工程で、前記木目模様と共に前記木札に必要な表示を行う
請求項６または請求項７に記載の木札製造方法。
【請求項９】
前記印刷工程で形成される前記印刷層の前記木目模様の木目方向を、前記基材の木材パルプの流れ方向と同じにする
請求項６から請求項８のうちいずれか一項に記載の木札製造方法。
【発明の詳細な説明】
【技術分野】
【０００１】
この発明は、たとえば御神札、御祈祷札などとして用いられるような木札に関する。
【背景技術】
【０００２】
木札は本来、木を板状に製材して得られるものであるが、森林の伐採や環境保全の点から、良質な材料の確保が困難になりつつある。
【０００３】
このため従来、製材された板を用いない木札が提案されてきた（例えば下記特許文献１〜５）。
【０００４】
特許文献１〜３の木札は、複数枚の板紙を重ね合わせて木札の芯材を構成するものであり、特許文献４では古紙再生紙を圧縮固着成形して、特許文献５ではチップ材を凝固させて、芯材を構成している。芯材の表面には木材らしさを表現するため、特許文献２〜５には木目模様を印刷した紙を芯材の表裏両面に貼り付けることが、特許文献１には、芯材の表裏両面に印刷を施すことが開示されている。
【０００５】
しかし、これらの構成では、木製の板らしさが得られない。
【０００６】
芯材が板紙の貼り合わせで構成された場合には、板紙が積層された状態であるので、外面全体を木の板らしく装えば板のような外観は得られるが、紙であるため軽いうえに、端面には紙の屑が露出したり板紙の層が見えたりする。そのうえ、強度はなく、例えば塔婆のように長尺の木札とした場合には、特に折れやすい。
【０００７】
芯材を古紙再生紙の圧縮固着成形で構成した場合には、層構造ではないものの、厚い板紙と同様の構造であって、木製の板のような強度がない点も露出する端面が見苦しい点も、板紙を貼り合わせて構成した場合と同様である。
【０００８】
芯材をチップ材の凝固で構成した場合は、チップ材、つまり小片を固めたものであるので、古紙再生紙を圧縮固着して芯材を構成した場合と同様に、木製の板のような強度がないばかりか、別途に加工をしない限り露出する端面をきれいにすることはできない。
【０００９】
木札の表裏両面については、木目模様を印刷した紙を芯材に貼り合わせた構成では、板紙を貼り合わせて構成した芯材と同様、湿気を吸ったりして剥離などが起こりやすい。また、紙を貼り合わせても凹凸を吸収することは困難であるので、芯材の表裏両面が平滑でない場合には、滑らかな面は得られない。
【００１０】
木目模様を板紙からなる芯材に印刷する構成では、板紙の色が印刷に影響を与えるので、木肌に酷似した美麗な色彩や模様は得にくい。しかも、板紙の面の凹凸、ザラザラ感があればそれがそのまま表れるので、製材された板からなる木製の木札のような平滑面は得られない。
【００１１】
また、そもそも木製の木札は、多少なりとも大きさや品質にばらつきがある。そのうえ経時変化によって膨らんだり反ったり痩せたりする変形や割れなどが起こる。このため、木札に包み紙をかけたり水引を取り付けたりする加工を行う場合には、個々に臨機応変な対応が必要となり、一律の作業では済まなかった。つまり、加工を不良なく迅速に行うことは容易ではなかった。
【００１２】
この点、特許文献１〜５の木札は木製ではないので、このような問題が生じないようにも思える。しかしながら、特に芯材が紙からなる構成の木札では、木製の木札のような強度がないので、端部や角の潰れ等によって形が崩れたり欠けたりしやすい。このため、加工のし難さは、特許文献１〜５の木札でも依然として存在する。
【先行技術文献】
【特許文献】
【００１３】
【特許文献１】登録実用新案第３１０７１２９号公報
【特許文献２】特開平３−２５４７１０号公報
【特許文献３】登録実用新案第３１６３３１３号公報
【特許文献４】実開平４−１０１６８０号公報
【特許文献５】実開平４−３１５７６号公報
【発明の概要】
【発明が解決しようとする課題】
【００１４】
この発明は、外観ばかりではなく実質的にも木製の木札に酷似させることができるとともに、水引の取付けなどの加工をしやすくすることを主な目的とする。
【課題を解決するための手段】
【００１５】
そのための手段は、板状の基材の少なくとも表面に表示がなされる木札であって、前記基材が、木材パルプからなる芯材と、前記芯材の少なくとも表面に形成された塗工層を有し、前記塗工層の上に、前記表示がなされる木目模様の印刷層が形成された木札である。
【００１６】
この構成では、表示は、印刷層の上に別途なされるほか、印刷層の形成に際して木目模様と共に表される。木材パルプからなる芯材は、製材した板ではないものの木材のような質感や重量感を有するとともに、高い形態安定性と強度を有し、外周に表れる端面を木材に似た外観にする。塗工層は、高い一体性をもって芯材を被覆するとともに、塗工された芯材の少なくとも表面の凹凸を吸収して平滑にし、印刷層を美麗に形成可能にする。
【発明の効果】
【００１７】
この発明によれば、見た目にも手に持った感じでも木製の木札に酷似している模造木札を得ることができる。そのうえ、芯材は木材パルプを圧縮して板状に形成されたものであって、表面には一体の塗工層が形成されているので、端部や角を含めて木製の板と同様の強度を有する。このため、木材と異なり大きさや品質のばらつきをなくして経時変化による変形等も抑制できることと相まって、水引を取り付けたりする加工が一様に行え、加工がしやすい。
【図面の簡単な説明】
【００１８】
【図１】木札の正面図。
【図２】水引等を取り付けた木札の正面図。
【図３】図１のＡ−Ａ切断部の部分拡大図。
【図４】製造工程を示す説明図。
【図５】印刷層の印刷方向を示す説明図。
【発明を実施するための形態】
【００１９】
この発明を実施するための一形態を、以下図面を用いて説明する。
【００２０】
図１に木札１１の正面図を示す。木札１１は、板状の基材１２の少なくとも表面に木札１１に必要な表示１３がなされるものであって、図示例の木札１１では、縦長の略短冊形状に形成されており、「商売繁盛」の文字１３ａと、出所を示す印１３ｂが表示されている。
【００２１】
基材１２は、木を製材して得たものではないが、触感も重量感も既存の木材からなる木札と同様であり、この基材１２の表面に、前述の表示１３を形成する部位としての印刷層１４が形成されている。印刷層１４は、木札の外観を呈するように木の色彩と木目模様１４ａを有している。前述の表示１３、つまり文字１３ａと印１３ｂも、木の色彩や木目模様１４ａと共に印刷層１４に存在する。
【００２２】
図２は、製品としての木札１１の正面図である。つまり、図１に示した木札１１に対して、一例として紅白の包み紙１５を部分的に被せるとともに、包み紙１５の上から紅白の水引１６を取り付けた状態である。
【００２３】
このような木札１１の基材１２は、図３に示したように木材パルプからなる芯材２１と、芯材２１の少なくとも表面、図示例では表裏両面に形成された塗工層２２で構成されている。図３は、図１のＡ−Ａ断面の一部拡大図であり、正目の外観を有する木目模様１４ａの木目方向に沿って切断した状態を示している。基材１２の厚さは、例えば８ｍｍなど、所望の木札１１に合わせて適宜設定される。
【００２４】
芯材２１は、機械パルプ層２１ａと、機械パルプ層２１ａの表裏両面の化学パルプ層２１ｂで構成されている。機械パルプ層２１ａも化学パルプ層２１ｂも、木材から直接つくられたバージンパルプを１００％使用して形成される。機械パルプ層２１ａには明るい色の木質バルプが使用され、化学パルプ層２１ｂには、漂白済みの又は無漂白の化学パルプが使用される。
【００２５】
芯材２１は、木材パルプと水を合わせた原料を脱水しながら圧縮して板状に形成される。このとき、絡み合う木材パルプの方向性は揃えられており、木材パルプの流れ方向、換言すれば、芯材２１の目、あるいは木材パルプの延びる方向は一定になる。図３の断面図において、実線の波線は、木材パルプを模式的に表したものである。
【００２６】
塗工層２２は、芯材２１の面の性状を改質し、所望の外観や触感、機械的特性、印刷性などを得るためものものであって、例えば砥の粉などのような適宜の塗工材が選択されて塗布される。
【００２７】
この例において塗工層２２は、顔料塗工で構成される。具体的には塗工層２２は、２層からなり、いずれの塗工材も顔料と結合剤で構成されている。芯材２１に接する下層２２ａには、クリーム色を呈する塗工材が、表面に露出する表面層２２ｂには白色を呈する塗工材が使用される。下層２２ａは、芯材２１の凹凸を吸収して芯材２１と一体となるとともに、芯材２１の色を隠ぺいするか、目立たなくする。表面層２２ｂは、下層２２ａと一体となって、面の平滑化と、印刷層１４を形成したときに印刷に与える影響の排除を行う。
【００２８】
印刷層１４は、前述のように木の色彩と木目模様１４ａ、それに文字１３ａと印１３ｂを有しており、これらは基材１２の表面の塗工層２２に対する印刷で同時に、又は複数回に分けて重ねて形成される。印刷には、例えばＵＶインクジェットプリンタなど、塗工層２２の性状に合わせて適宜の印刷機が用いられる。
【００２９】
この印刷層１４における木目模様１４ａの木目方向（図１参照）は、基材１２の木材パルプの流れ方向（図３参照）と同じ方向に設定されている。
【００３０】
印刷層１４は基材１２の表面の塗工層２２のほかに、裏面の塗工層２２にも形成してもよく、その印刷内容は木目模様１４ａの有無を含めて適宜決定され得る。
【００３１】
以上のような構成の木札１１は、前述の基材１２を用意して、塗工層２２の上に木目模様１４ａの印刷層１４を形成する印刷工程と、印刷層１４を有する部分を木札１１の形に切り取る切断工程を順に行って製造される。
【００３２】
すなわち、木札製造方法は、図４に示したように、所望する木札１１の大きさよりも大きく表裏両面が白い基材１２を用意したのち（図４の（ａ））、その基材１２の表面に適宜の印刷機を用いて印刷層１４を形成する（図４の（ｂ））。
【００３３】
印刷層１４は、前述した木の色彩、木目模様１４ａ、文字１３ａ及び印１３ｂからなる１枚の木札１１の表面像を表すものであって、複数配設される。つまり印刷工程で複数枚の木札１１の印刷が行われる。木の色彩と木目模様１４ａは、木札１１の表面像の全体にわたって表現されている。複数の表面像の内容や外形は同一のものであっても異種のものであってもよい。また、表面像の大きさも同一のものであっても異なるものであってもよい。いずれも、歩留まり良く印刷層１４を配置するとよい。基材１２の裏面にも印刷層が必要な場合には、裏面に対しても印刷を行う。このとき、裏面に形成する印刷層が表面の印刷層１４と対応するように留意する。
【００３４】
印刷層１４の形成に際して、木目模様１４ａの印刷の向きは図５に示したように設定される。すなわち、印刷工程で形成される印刷層１４の木目模様１４ａの木目方向を、基材１２の木材パルプの流れ方向と同じにするとよい。
【００３５】
図５中、実線で表した破線状の線は、木材パルプを示しており、破線状の線が延びる方向が木材パルプの流れ方向である。図５の（ａ）は、所定の大きさの基材１２を得るときに短辺に平行してパルプ目が流れている横目の流れ目であって、図５の（ｂ）は、基材１２の長辺に平行してパルプ目が流れている縦目の流れ目である。
【００３６】
つまり、木札１１の形状が図１に示したように縦長形状の場合には、印刷層１４の木目模様１４ａにおける木目方向と基材１２の木材パルプの流れ方向とが同じになるように、横目の場合には、基材１２の短辺と平行に木札１１の縦方向を並べて複数の印刷層１４が形成される（図５の（ａ））。一方、縦目の場合には、基材１２の長辺と平行に木札１１の縦方向を並べて複数の印刷層１４が形成される（図５の（ｂ））。
【００３７】
木札１１が一般的な絵馬のように横長形状の場合には逆に、横目のときは、基材１２の短辺と平行に木札１１の横方向を並べて複数の印刷層１４が形成され、縦目のときには、基材１２の長辺と平行に木札１１の横方向を並べて複数の印刷層１４が形成される。
【００３８】
印刷工程のあとは、図４の（ｃ）に示したように、印刷層１４を有する部分を厚さ方向全体にわたって木札１１の形に、つまり前述の表面像の外形に沿って切り取る。この切り取りには、適宜のカッティングマシンが用いられる。基材１２は木材パルプからなり、しかもバージンパルプからなるので、切断工程で形成されたカット面は製材した木製の板のように美麗であり、カット面に対する加工は不要である。
【００３９】
切断工程を経た木札１１に対しては、必要に応じて、得られた木札１１に必要な包み紙１５や水引１６を取り付ける（図２参照）。木札１１は、所定の形状に切断され、木目模様１４ａ等も印刷で一様に形成されるので、サイズや外観などのばらつきや不良の発生を防止できる。そのうえ、木材パルプからなり木製の板と同様に強度を有するので、角が潰れたり折れたりすることも抑制できる。このため、包み紙１５で包んだり水引１６を取り付けたりする作業が一律に行え、加工は容易であり、精度も高く、不良の発生を抑えられる。
【００４０】
以上のようにして製造された木札１１では、基材１２を芯材２１と塗工層２２で構成し、芯材２１が方向性を揃えた木材パルプで構成されているので、質感や重量感や強度を木製の木札に酷似された模造の木札１１を得られる。そのうえ、木目模様１４ａの印刷層１４は、芯材２１に一体で表面の平滑性も得られる塗工層２２の上に形成されるので、触感も外観上も木製の木札に酷似した木札１１となる。
【００４１】
印刷層１４は木札に必要な表示１３も木目模様１４ａと共に有するので、製造工程を省くことができる。
【００４２】
芯材２１は、機械パルプ層２１ａと化学パルプ層２１ｂを組み合わせて構成されているので、強度を更に向上でき、例えば撓らせても折れない強度を有するものとすることができる。この点でも木製の木札と酷似したものとなる。
【００４３】
塗工層２２は、顔料塗工からなり、２層で構成されて、表面を白色としているので、芯材２１の色が透けて見えたりすることもなく、印刷データを忠実に反映した美麗な印刷層１４を得られる。この点からも木製の木札に酷似した外観を得られる。
【００４４】
印刷層１４の木目模様１４ａの木目方向と芯材２１の木材パルプの流れ方向が同じであるので、外観の方向性を構造上の方向に合わせることができる。このため、木札１１を例えば塔婆のような長尺状のものとした場合でも、必然的に強度を発揮させることができる。
【００４５】
また、製造においては、所定厚の基材１２に印刷層１４を形成したあとで切離すので、精度の高い木札１１を得られる。しかも、木製の木札のように経時変化して変形などを起こすこともない。そして前述のように木札１１に接した際の感覚が木製の木札を思わせるものである上に、芯材２１と一体の塗工層２２を有しており、端部や角も木製の木札のような強度を有するので、端部や角が不測につぶれたり欠けたりすることも抑制できる。このため、包み紙１５をかけたり水引１６を取り付けたりする加工が、どの木札１１に対しても同じように一律の作業で行える。つまり、加工は簡易迅速に行え、不良の発生を抑えられる。
この結果、特に御神札や御祈祷札、絵馬など、日本の伝統的な宗教文化の維持に大いに貢献することができる。
【００４６】
さらに、基材１２に印刷して切離して製造するので、必要に応じてさまざまな種類の木札１１を即座に得られ、在庫管理の必要性をなくすことができ、管理や製造の負担を大幅に軽減できる。製造時間の短縮や、大量生産、注文に応じた柔軟な生産もできる。
【００４７】
以上の構成はこの発明を実施するための一形態であって、この発明は前述の構成に限定されるものではなく、その他の構成を採用することかできる。
【００４８】
例えば、木札１１の表面になされる表示１３は、後から書いたり印刷したりしてもよい。つまり、印刷層１４には木の色彩と木目模様１４ａのみを表して木札１１を構成してもよい。
【００４９】
また、塗工層２２の表面の色が木肌の色を有するものであれば、木目模様１４ａのみの印刷層１４としてもよい。
芯材２１の木材パルプは、木材パルプの流れ方向が一定のものではなくてもよい。
【００５０】
木札１１には、前述した御神札、御祈祷札、塔婆、絵馬のほかに、たとえば祝いの花などに添える木札、置物や展示品などの表示のための木札、飲食店などで壁面に並べるメニューのための木札、道場などで壁面に掲示する名札としての木札など、様々な用途がある。
【符号の説明】
【００５１】
１１…木札
１２…基材
１３…表示
１４…印刷層
１４ａ…木目模様
２１…芯材
２２…塗工層
【図１】
2020005962.tif 000003
【図２】
2020005962.tif 000004
【図３】
2020005962.tif 000005
【図４】
2020005962.tif 000006
【図５】
2020005962.tif 000007